(57)【要約】【課題】低温を維持した状態で植物を梱包及び輸送することができる容器を提供する。【解決手段】容器１は、内部に水Ｗが収容可能であると共に、植物の下部を収容する第一収容体２と、ドライアイス５と、植物Ｐ及びドライアイス５を収容する、密閉可能な第二収容体６と、第二収容体６を収容する第三収容体７とを備えることを特徴とする。【選択図】図１
2019182431.tif 000002
【特許請求の範囲】
【請求項１】
内部に水が収容可能であると共に、植物の下部を収容する第一収容体と、
ドライアイスと、
前記植物、前記第一収容体及び前記ドライアイスを収容する、密閉可能な第二収容体と、
前記第二収容体を収容する第三収容体と、
を備えることを特徴とする植物を梱包及び輸送するための容器。
【請求項２】
前記第一収容体、前記第二収容体及び前記第三収容体の少なくとも一つには冷却部材が取り付けられている、
請求項１に記載の容器。
【請求項３】
前記ドライアイスは、被覆体によって覆われた状態で、前記第二収容体内に収容されている、
請求項１又は２に記載の容器。
【請求項４】
前記第一収容体が嵌合され、且つ、前記第三収容体の端部に配置される支持部材をさらに備える、
請求項１から３のいずれか１項に記載の容器。
【発明の詳細な説明】
【技術分野】
【０００１】
本発明は植物を梱包及び輸送する際に使用される容器に関する。
【背景技術】
【０００２】
植物の中には熱に弱いものも多数存在する。このような植物は、低温が維持された状態で梱包及び輸送されることが好ましい。特許文献１には生鮮食品や生花等の輸送に用いるための保冷容器であって、断熱性を有する内袋１と、当該内袋１を収納してなる外箱２からなる保冷容器が開示されている。
【先行技術文献】
【特許文献】
【０００３】
【特許文献１】実開平０６−０１０１７７号公報
【発明の概要】
【発明が解決しようとする課題】
【０００４】
本発明は、低温を維持した状態で植物を梱包及び輸送することができる容器を提供することを目的とする。
【課題を解決するための手段】
【０００５】
本発明の植物を梱包及び輸送するための容器は、
内部に水が収容可能であると共に、植物の下部を収容する第一収容体と、
ドライアイスと、
前記植物、前記第一収容体及び前記ドライアイスを収容する、密閉可能な第二収容体と、
前記第二収容体を収容する第三収容体と、
を備えることを特徴とする。
【０００６】
本発明の容器において、
前記第一収容体、前記第二収容体及び前記第三収容体の少なくとも一つには冷却部材が取り付けられている、
ことが好ましい。
【０００７】
本発明の容器において、
前記ドライアイスは、被覆体によって覆われた状態で、前記第二収容体内に収容されている、
ことが好ましい。
【０００８】
本発明の容器において、
前記第一収容体が嵌合され、且つ、前記第三収容体の端部に配置される支持部材をさらに備える、
ことが好ましい。
【発明の効果】
【０００９】
本発明の容器では、植物の下部は水が入った第一収容体内に入れられるため、植物は梱包及び輸送中に水を吸い上げることができる。その結果、植物の鮮度を保つことができる。水が入った第一収容体は密閉可能な第二収容体内に収容されるため、第二収容体が密閉されれば、第一収容体から水が漏れ出たとしても、第二収容体外に水が漏れ出ることはない。植物はドライアイスと共に密閉可能な第二収容体内に収容されるため、第二収容体が密閉されると、第二収容体内はドライアイスの昇華に伴って発生した二酸化炭素ガスによって低温に維持される。これにより、植物の鮮度を保つことができ、植物の輸送に支障がない。
【図面の簡単な説明】
【００１０】
【図１】（ａ）容器の斜視図、（ｂ）（ａ）のＩｂ−Ｉｂ線断面図である。
【図２】（ａ）第一収容体の平面図、（ｂ）第一収容体の正面図、（ｃ）（ａ）のＩＩｃ−ＩＩｃ線断面図である。
【図３】（ａ）支持部材の平面図、（ｂ）支持部材の正面図、（ｃ）（ａ）のＩＩＩｃ−ＩＩＩｃ線断面図である。
【図４】第三収容体の斜視図である。
【図５】変形例の容器の断面図である。
【発明を実施するための形態】
【００１１】
本発明について図面を参照しながら説明する。以下で説明する実施形態は、いずれも本発明の好ましい一具体例を示すものである。本発明は、以下の実施形態に限定されず、その趣旨を逸脱しない範囲で適宜変更可能である。
【００１２】
図１（ａ）は容器１の斜視図、図１（ｂ）は図１（ａ）のＩｂ−Ｉｂ線断面図である。以下では、説明の便宜上、図１（ａ）の上下方向を容器１の上下方向として説明する。容器１は切り花などの植物Ｐを梱包して輸送するために使用される。より詳細には、容器１は植物Ｐが立った状態で梱包及び輸送可能な容器である。容器１は、第一収容体２、支持部材３、被覆体４で覆われたドライアイス５、第二収容体６及び第三収容体７を備える。第一収容体２には植物Ｐの下部が収容される。第一収容体２は支持部材３に嵌合される。第一収容体２、支持部材３及び被覆体４で覆われたドライアイス５は、植物Ｐと共に第二収容体６内に収容される。第二収容体６は、植物Ｐ、第一収容体２、支持部材３及びドライアイス５を収容した状態で密閉される。第二収容体６は第三収容体７内に収容される。以下では、容器１の各構成要素の詳細について説明する。
【００１３】
図２（ａ）は第一収容体２の平面図、図２（ｂ）は第一収容体２の正面図、図２（ｃ）は図２（ａ）のＩＩｃ−ＩＩｃ線断面図である。第一収容体２は、矩形状の底壁２１と、底壁２１の四辺からそれぞれ立設する互いに一体的に接続された四つの側壁２２と、側壁２２に接続された上壁２３と、底壁２１、側壁２２及び上壁２３によって囲まれる空間２４とを備える。上壁２３の中央部には開口部２５が形成されている。第一収容体２は例えばポリエチレンテレフタレート（ＰＥＴ）から成る。第一収容体２は、透明であることが好ましい。図１（ｂ）に示すように、空間２４内には水Ｗが収容される。植物Ｐの下部は開口部２５を通って空間２４内に収容され、空間２４内の水Ｗと接触する。これにより植物Ｐは梱包及び輸送中に空間２４内の水Ｗを吸い上げることができ、その鮮度を保つことができる。
【００１４】
図３（ａ）は支持部材３の平面図、図３（ｂ）は支持部材３の正面図、図３（ｃ）は支持部材３のＩＩＩｃ−ＩＩＩｃ線断面図である。支持部材３は平面視矩形状であり、例えば段ボールから構成することができる。支持部材３は、互いに一体的に接続された四つの側壁３１と、側壁３１に接続された上壁３２と、上壁３２から内方に延びる四つのフラップ３３とを備える。支持部材３の縦寸法（図３（ａ）の上下方向長さ）及び横寸法（図３（ａ）の左右方向長さ）は、高さ寸法（図３（ｂ）の上下方向長さ）よりも大きくなっている。これにより、支持部材３は低重心となっている。図１（ｂ）に示すように、支持部材３は第三収容体７の下端部に配置される。側壁３１の下端部は、第二収容体６を介して、後述する第三収容体７の底壁７１に当接している。
【００１５】
四つのフラップ３３は上壁３２に上下動可能（旋回可能）に接続されている。本実施形態では、上壁３２の中央部分に切り込みを入れることにより上壁３２の一部がフラップ３３として機能する。フラップ３３を押し下げることにより、上壁３２の中央部には開口部３４が形成される。第一収容体２を支持部材３に嵌合させる際には、第一収容体２をフラップ３３の上方から押し込む。これにより、フラップ３３が下がり、第一収容体２は開口部３４内に嵌合される。図１（ｂ）に示すように、第一収容体２の底壁２１は、支持部材３の側壁３１の下端部と同じ位置まで押し込まれ、第二収容体６を介して第三収容体７の底壁７１と当接している。開口部３４に第一収容体２が嵌合されたとき、フラップ３３は第一収容体２の側壁２２に当接する。これにより、第一収容体２は、支持部材３に固定される。
【００１６】
図１（ｂ）に示すように、ドライアイス５は、被覆体４に覆われた状態で、支持部材３の側壁３１の外側周囲に配置されている。被覆体４は、例えば容器１が転倒してドライアイス５が植物Ｐの近くに移動したとしても、ドライアイス５が植物Ｐに直接触れないようドライアイス５と植物Ｐとを隔離している。被覆体４は、例えば、ポリエステルやポリエチレンなどの材料から形成された柔軟な袋体から構成することができる。
【００１７】
図１（ｂ）に示すように、第二収容体６は、例えばポリエステルやポリエチレンなどの材料から形成された柔軟な袋体から構成することができる。第二収容体６は防水性材料から作製されることが好ましい。第二収容体６は、植物Ｐ、第一収容体２、支持部材３及び被覆体４に包まれたドライアイス５を内部に入れるための開口部を備え、それら全体を内部に収容する。植物Ｐ、第一収容体２、支持部材３及びドライアイス５が内部に収容された後、第二収容体６の上部を例えば輪ゴムなどのゴムバンドで縛ることによって開口部は封止される。これにより、第二収容体６は密閉される。第二収容体６の外面には、熱を吸収する冷却部材８が取り付けられている。冷却部材８は例えば冷却ジェルを備えた冷却シートである。
【００１８】
図４は第三収容体７の斜視図である。第三収容体７は、外観視で上下方向に長尺な直方体であり、例えば段ボールから構成することができる。第三収容体７の内部には、第二収容体６全体が収容される。第三収容体７は、矩形状の底壁７１と、底壁７１の四辺からそれぞれ立設する互いに一体的に接続された四つの側壁７２と、四つの側壁７２にそれぞれ接続された四つのフラップから成る上壁７３とを備える。フラップから成る上壁７３は側壁７２に対して旋回可能に接続されている。上壁７３を旋回させることにより、第三収容体７の上部には開口部が形成される。第二収容体６は、その開口部から第三収容体７内に入れられる。図１（ａ）に示すように、第二収容体６が第三収容体７内に収容された後、上壁７３は閉じられる。そして、上壁７３同士及び上壁７３と側壁７２とは、粘着テープＴなどによって互いに固定される。上壁７３は、各上壁７３間及び各上壁７３と側壁７２との間に隙間が形成されないよう、密閉されることが好ましい。第三収容体７の側壁７２の外面には、冷却部材８が取り付けられる。
【００１９】
［作用効果］
以下では容器１の作用効果について説明する。
【００２０】
容器１では、第二収容体６内に植物Ｐと共にドライアイス５が収容されているため、容器１内の温度上昇を抑えることができ、植物Ｐの鮮度を保つことができる。
【００２１】
第二収容体６は密閉されているため、ドライアイス５から発生した二酸化炭素ガスが、第二収容体６の外部へ漏れ出ることを抑えることができる。これにより、第二収容体６内を低温に維持することができる。
【００２２】
第三収容体７の開口部は粘着テープＴなどによって閉じられ、第三収容体７は密閉されるため、第三収容体７内を低温に維持することができる。
【００２３】
第二収容体６及び第三収容体７には冷却部材８が取り付けられているため、第二収容体６及び第三収容体７内の熱を吸収することができ、容器１内の温度上昇を抑えることができる。
【００２４】
ドライアイス５は被覆体４で覆われているため、ドライアイス５と植物Ｐとが直接接触することがない。これにより、植物Ｐの凍結による損傷を防止することができる。
【００２５】
第二収容体６は密閉されるため、第一収容体２内の水Ｗが第二収容体６外に漏れ出ることがない。
【００２６】
支持部材３は低重心化されているため、第三収容体７内での支持部材３の転倒を抑制することができる。これにより、支持部材３に固定された第一収容体２の転倒も抑制することができる。その結果、第一収容体２内に収容された水Ｗが第一収容体２から漏れ出ることを防止することができる。
【００２７】
［変形例］
以下では容器１の変形例について説明する。
【００２８】
（１）冷却部材８は第一収容体２の外面にも取り付けられていてもよい。
【００２９】
（２）被覆体４は必ずしもドライアイス５全体を覆っている必要はなく、ドライアイス５の一部のみを覆う形態であってもよい。
【００３０】
（３）被覆体４によって覆われたドライアイス５は、図５に示すように、支持部材３の側壁３１の内側に収容されていてもよい。
【符号の説明】
【００３１】
１      容器
２      第一収容体
３      支持部材
４      被覆体
５      ドライアイス
６      第二収容体
７      第三収容体
８      冷却部材
Ｐ      植物
Ｗ      水
【図１】
2019182431.tif 000003
【図２】
2019182431.tif 000004
【図３】
2019182431.tif 000005
【図４】
2019182431.tif 000006
【図５】
2019182431.tif 000007